(57)【要約】【課題】本発明は、電気集塵フィルタに関するものであり、吸込空気が反発電極と集塵電極の周辺を流れる距離を長くすることにより集塵効率を向上させることを目的とするものである。【解決手段】集塵電極７ａと集塵電極７ｂは、板金もしくは導電性の板状の樹脂から成り、その表面に複数の切起し部８を形成する。これにより空気流路を蛇行させることによって、空気流路が直進する場合と比較して、空気が集塵部６を通過する経路を長くできるため、荷電部５で帯電された粉塵が集塵電極７ａと集塵電極７ｂに接触して捕集されやすくなり、結果として集塵効率を向上させる。【選択図】図１
2009285560.tif 000002
【特許請求の範囲】
【請求項１】
空気を吸い込む吸気口と、吸い込んだ空気を吐き出す排気口と、前記吸気口から吸い込まれて前記排気口へと吐き出される吸込空気中の粉塵を帯電させる荷電部と、前記荷電部に対して吸込空気の下流側に粉塵を捕集堆積する集塵部を備え、前記集塵部は反発電極と集塵電極を有し、前記反発電極と前記集塵電極の間を吸込空気が蛇行して流れるように配置したことを特徴とする電気集塵ユニット。
【請求項２】
前記集塵電極は吸込空気の流れ方向に対して傾斜させて配置し、前記反発電極は吸込空気の流れ方向に対して前記集塵電極と逆方向に傾斜させて配置したことを特徴とする請求項１記載の電気集塵ユニット。
【請求項３】
前記集塵電極の表面に凹凸形状を形成したことを特徴とする請求項２記載の電気集塵ユニット。
【請求項４】
前記集塵電極の先端部を曲げたことを特徴とする請求項２記載の電気集塵ユニット。
【請求項５】
前記集塵電極の先端部を屈曲させたことを特徴とする請求項４記載の電気集塵ユニット。
【請求項６】
前記集塵電極の先端部を弧状に湾曲させたことを特徴とする請求項４記載の電気集塵ユニット。
【請求項７】
前記集塵電極およびまたは前記反発電極は一枚板から成ることを特徴とする請求項２〜６のいずれか一つに記載の電気集塵ユニット。
【請求項８】
前記集塵電極およびまたは前記反発電極は、断面形状が略波形である板から成ることを特徴とする請求項７記載の電気集塵ユニット。
【請求項９】
前記集塵電極およびまたは前記反発電極は、板の表面に形成された切起片から成ることを特徴とする請求項７記載の電気集塵ユニット。
【請求項１０】
吸込空気の流れが３回以上方向転換するように、前記集塵電極と前記反発電極を配置したことを特徴とする請求項１または２のいずれか一つに記載の電気集塵ユニット。
【請求項１１】
前記集塵電極と前記反発電極を吸込空気の流れ方向に互い違いにずらして配置したことを特徴とする請求項１０記載の電気集塵ユニット。
【請求項１２】
前記集塵部を吸込空気の流れ方向に対して平行に複数配置したことを特徴とする請求項１、２、１０、１１のいずれか一つに記載の電気集塵ユニット。
【請求項１３】
前記吸気口、前記排気口の少なくとも一方についての空気の通過する方向が、前記集塵部を通過するときの吸込空気の流れの方向と異なる方向であることを特徴とする請求項１、２、１０、１１、１２のいずれか一つに記載の電気集塵ユニット。
【請求項１４】
前記吸気口の外周を前記吸気口の開口面と直交する方向に延長した範囲に入らないように前記排気口を配置したことを特徴とする請求項１３に記載の電気集塵ユニット。
【発明の詳細な説明】
【技術分野】
【０００１】
本発明は、エアコン、空気清浄機などの居住空間の空気の粉塵を収集する電気集塵ユニットに関するものである。
【背景技術】
【０００２】
従来、この種の電気集塵ユニットは、反発電極と集塵電極を吸込空気の流れの方向に対して傾斜させて積層状態に設置したものが知られている（例えば、特許文献１参照）。
【０００３】
以下、その電気集塵ユニットについて図４を参照しながら説明する。
【０００４】
図に示すように、電気集塵ユニット１０１は、吸気口１０２から空気を吸い込み、荷電部１０３で吸込空気中の粉塵を帯電させて、集塵部１０４で帯電した粉塵を捕集し、排気口１０５から粉塵を除去した空気を吐き出すものである。また、集塵部１０４は反発電極１０６と集塵電極１０７からなり、吸込空気の流れの方向に対して傾斜させて積層状態に設置している。このように、吸込空気の流れの方向に沿って、反発電極１０６と集塵電極１０７を積層することにより、集塵量を多くしようとするものである。
【特許文献１】特開２００４−３３９４４号公報
【発明の開示】
【発明が解決しようとする課題】
【０００５】
近年、エアコン、空気清浄機など、電気集塵ユニットを内蔵し居住空間において空気中の粉塵を除去し清浄化する機器に対しては、小型化と集塵量の増加をバランスよく実現することが要望されている。
【０００６】
従来の電気集塵ユニットは、吸込空気の流れの方向に沿って反発電極と集塵電極を積層しているため、吸込空気が反発電極と集塵電極の周辺を流れる距離が短くなり、充分な集塵効率を得られず、また吸込空気の流れに対して直角方向の寸法が厚くなるという課題があった。
【０００７】
そこで本発明は、吸込空気が反発電極と集塵電極の周辺を流れる距離を長くすることにより集塵効率を向上し、上記課題を解決することを目的とするものである。
【課題を解決するための手段】
【０００８】
本発明の電気集塵ユニットは上記目的を達成するために、空気を吸い込む吸気口と、吸い込んだ空気を吐き出す排気口と、前記吸気口から吸い込まれて前記排気口へと吐き出される吸込空気中の粉塵を帯電させる荷電部と、前記荷電部に対して吸込空気の下流側に粉塵を捕集堆積する集塵部を備え、前記集塵部は反発電極と集塵電極を有し、前記反発電極と前記集塵電極を吸込空気が蛇行して流れるように配置したことを特徴としたものである。
【０００９】
この手段により、吸込空気が反発電極と集塵電極の周辺を流れる距離を長くすることで集塵効率を向上させることができる電気集塵ユニットが得られる。
【発明の効果】
【００１０】
本発明によれば、吸込空気が反発電極と集塵電極の周辺を流れる距離を長くすることにより集塵効率を向上させるという効果のある電気集塵ユニットを提供できる。
【発明を実施するための最良の形態】
【００１１】
本発明の請求項１記載の発明は、空気を吸い込む吸気口と、吸い込んだ空気を吐き出す排気口と、前記吸気口から吸い込まれて前記排気口へと吐き出される吸込空気中の粉塵を帯電させる荷電部と、前記荷電部に対して吸込空気の下流側に粉塵を捕集堆積する集塵部を備え、前記集塵部は反発電極と集塵電極を有し、前記反発電極と前記集塵電極を吸込空気が蛇行して流れるように配置したことを特徴としたものであり、吸込空気が反発電極と集塵電極の周辺を流れる距離を長くすることで集塵効率を向上させるという作用を有する。
【００１２】
また、前記集塵電極は吸込空気の流れ方向に対して傾斜させて配置し、前記反発電極は吸込空気の流れ方向に対して前記集塵電極と逆方向に傾斜させて配置したことを特徴としたものであり、吸込空気の流れ方向に対して反発電極と集塵電極を互いに逆方向に傾斜することから、吸込空気の流れ方向に対して直角方向に厚みを増すことなく、吸込空気が反発電極と集塵電極の周辺を流れる距離を長くするができる。
【００１３】
また、前記集塵電極の表面に凹凸形状を形成したことを特徴としたものであり、粉塵を捕集しやすくなり集塵量を増加することができる。
【００１４】
また、前記集塵電極の先端部を曲げたことを特徴としたものであり、粉塵を捕集しやすくなり集塵量を増加することができる。
【００１５】
また、前記集塵電極およびまたは前記反発電極は一枚板から成ることを特徴としたものであり、集塵電極およびまたは反発電極は簡素な構造となり、容易に製造することができる。
【００１６】
また、吸込空気の流れが３回以上方向転換するように、前記集塵電極と前記反発電極を配置したことを特徴としたものであり、吸込空気が反発電極と集塵電極の周辺を流れる距離を長くすることができる。
【００１７】
また、前記集塵電極と前記反発電極を吸込空気の流れ方向に互い違いにずらして配置したことを特徴としたものであり、吸込空気が反発電極と集塵電極の周辺を流れる距離を長くすることができる。
【００１８】
また、前記集塵部を通過するときの吸込空気の流れの略方向と異なる方向に前記吸気口およびまたは前記排気口を配置したことを特徴としたものであり、本電気集塵ユニットをエアーコンディショナーや空気清浄機に搭載する場合において、吸気口と排気口の配置場所の設計自由度が増すことで、電気集塵ユニットを設置しやすくすることができる。
【００１９】
以下、本発明の実施の形態について図面を参照しながら説明する。
【００２０】
（実施の形態１）
図１に示すように、本実施形態の電気集塵ユニット１は、空気を吸い込む吸気口２と空気を排気する排気口３を有する電気集塵ユニットケース４と、この電気集塵ユニットケース４の内に設けられた荷電部５および集塵部６とを備えている。
【００２１】
集塵部６は、向かい合った集塵電極７ａ、７ｂと、この集塵電極７ａ、７ｂの間に設けた送風方向にＳ字を連ねたような形状を有する反発電極９とで構成されている。集塵電極７ａと集塵電極７ｂは略同形状であり、吸込空気が流れる方向に対して平行となる方向で、互いに向かい合うように配置される。集塵電極７ａと集塵電極７ｂは、板金もしくは導電性の板状の樹脂から成る。その表面に複数のコの字型の切込みを設け、この切込みを入れた箇所をそれぞれ同じ角度に屈曲させて複数の切起し部８を形成する。切起し部８は、先端が空気の流れの下流になるようにしている。集塵電極７ａの切起し部８が、向かい合う集塵電極７ｂにある２つの切起し部８の中間に配置されるようにする。なお、切起し部８は長方形を例示したが、台形状、三角状などの形状でもよい。
【００２２】
一方、反発電極９は、板金もしくは導電性の板状の樹脂から成り、複数箇所で屈曲して形成した複数の凸部１０を有する。この凸部１０は、上底１１と、この上底１１の左右から隣り合う上底１１につながる２つの斜辺１２とから成り、板面に対して交互に異なる方向に突出した略台形状となる。なお、上底１１が短いあるいはないような場合は、凸部１０は略三角状となる。このように板面に凸部１０を設けることで、平板状のものを略波形に成形する。
【００２３】
上底１１と斜辺１２が形成する角度は、集塵電極７ａおよび集塵電極７ｂの切起し部８の切起し角度と略等角度とし、集塵電極７ａの切起し部８と対向する反発電極９の斜辺１２が平行であり、かつ集塵電極７ｂの切起し部８と対向する反発電極９の斜辺１２が平行であり、かつ集塵電極７ａの切起し部８と対向する反発電極９の斜辺１２の距離と集塵電極７ｂの切起し部８と対向する反発電極９の斜辺１２の距離が等しくなるように、集塵電極７ａと集塵電極７ｂの中央に反発電極９を配置する。
【００２４】
上記構成により、その作用を説明する。電気集塵ユニットケース４内には、送風手段（図示せず）により空気が吸い込まれる。吸込空気が荷電部５を通過する時に、吸込空気中に含まれる粉塵が正に帯電される。正に帯電した粉塵を含む吸込空気が集塵部６を通過する時に、正に帯電した粉塵は、粉塵とは逆に負に帯電した集塵電極７ａと集塵電極７ｂに捕集される。この際、集塵電極７ａと集塵電極７ｂに対向して配置された反発電極９を粉塵と同じく正に帯電させると、粉塵は反発電極９と反発し、集塵電極７ａと集塵電極７ｂに向かい、捕集しやすくなる。そして、粉塵を集塵電極７ａと集塵電極７ｂに捕集されて清浄化された吸込空気は排気口３へと送風される。なお、帯電の正負は逆にしてもよい。
【００２５】
このような構成とすることによって、集塵電極７ａと集塵電極７ｂと反発電極９が吸込空気の流れの方向に対して傾斜しているため、荷電部５から流入してきた吸込空気が集塵電極７ａと集塵電極７ｂと反発電極９にぶつかることにより、空気流路は直進せず吸込空気が流れる方向に対して左右に波打つ形状となり、蛇行した空気流路が形成されるのである。
【００２６】
すなわち、このように空気流路を蛇行させることによって、空気流路が直進する場合と比較して、空気が集塵部６を通過する経路を長くできるため、荷電部５で帯電された粉塵が集塵電極７ａと集塵電極７ｂに接触して捕集されやすくなり、結果として集塵効率を向上させるのである。
【００２７】
また、集塵電極７ａと集塵電極７ｂ、反発電極９は、平板より成形されるため、加工が容易であり、かつ、切起し部８の間隔を正確にすることができるため、組立時の調整が容易である。
【００２８】
また、切起し部８の先端を空気の流れの上流側に屈曲あるいは湾曲など曲げた形状とすることにより、帯電された粉塵が集塵電極７ａと集塵電極７ｂに接触し易くなり、効率良く集塵できる。
【００２９】
なお、切起し部８の代わりに、集塵電極７ａと集塵電極７ｂの表面に導電性の三角状などの部材を配置して、吸込空気が流れる方向に対して傾斜させるようにしてもよい。
【００３０】
また、導電性でその表面に凹凸を有する板（あるいはシート）を集塵電極７ａと集塵電極７ｂの表面に貼り付けることによって、極板の表面積が増加し、平板に比較してより多くの粉塵を堆積することができる。
【００３１】
また、本実施の形態では、電気集塵ユニットを１列配置したもので説明したが、複数を並べて配置してもよい。
【００３２】
（実施の形態２）
実施の形態１と同一部分は同一番号を付し、詳細な説明は実施の形態１を援用する。
【００３３】
図２に示すように、反発電極９ａは集塵電極７ａと略同形状であり、吸込空気が流れる方向に対して平行となる方向で、集塵電極７ａと互いに向かい合うように配置される。反発電極９ａは、板金もしくは導電性の板状の樹脂から成り、その表面に複数のコの字型の切込みをそれぞれが平行かつ等間隔になるように形成する。この切込みを入れた箇所をそれぞれ同じ角度に屈曲させて複数の切起し部８を設ける。反発電極９ａの切起し部８が、向かい合う集塵電極７ａにある２つの切起し部８の中間に配置されるように集塵電極７ａと反発電極９ａを吸込空気の流れ方向に互い違いにずらして配置する。なお、切起し部８はコの字型の形状を例示したが、台形状、三角状などの形状でもよい。また、集塵電極７ａと反発電極９ａを複数設けてもよい。
【００３４】
このような構成とすることによって、荷電部５から流入する空気が、集塵電極７ａと反発電極９ａにぶつかるため、空気流路は直進せず吸込空気が流れる方向に対して左右に波打つ形状となり、蛇行した空気流路が形成されるのである。
【００３５】
すなわち、このように空気流路を蛇行させることによって、空気流路が直進する場合と比較して、空気が集塵部６を通過する経路を長くできるため、荷電部５で帯電された粉塵が集塵電極７ａに接触して捕集されやすくなり、結果として集塵効率を向上させるのである。
【００３６】
また、集塵部６を通過するときの吸込空気全体としての流れの大まかな方向、つまり反発電極９ａや集塵電極７ａの板面に沿った方向とは異なる方向に吸気口２と排気口３を配置してもよく、吸気口と排気口の配置場所の設計自由度が増し、電気集塵ユニットを設置しやすくすることができる。
【００３７】
このような構成とすることによって、本電気集塵ユニットをエアーコンディショナーや空気清浄機などの送風手段を有する機器に搭載する場合、これらの機器のスペースに左右されることなく、空気が集塵部６を通過する経路を長くできるため、荷電部５で帯電された粉塵が集塵電極７ａに接触して捕集されやすくなり、結果として集塵効率を向上させるのである。
【００３８】
（実施の形態３）
実施の形態１乃至２と同一部分は同一番号を付し、詳細な説明は実施の形態１乃至２を援用する。
【００３９】
図３に示すように、集塵電極７を略波形とし、集塵電極７と反発電極９は略同形状である。集塵電極７と反発電極９を吸込空気が流れる方向に対して平行となる方向で、互いに向かい合うようにし、集塵電極７の斜辺１２と反発電極９の斜辺１２が略平行になるようにを配置する。このような配置で、複数の集塵電極７と複数の反発電極９を積層状態に設けてもよい。なお、集塵電極７と反発電極９は同数でなくともよい。
【００４０】
このような構成とすることによって、荷電部５から流入する空気が、集塵電極７と反発電極９にぶつかるため、空気流路は直進せず吸込空気が流れる方向に対して左右に波打つ形状となり、蛇行した空気流路が形成されるのである。
【００４１】
すなわち、このように空気流路を蛇行させることによって、空気流路が直進する場合と比較して、空気が集塵部６を通過する経路を長くできるため、荷電部５で帯電された粉塵が集塵電極７に接触して捕集されやすくなり、結果として集塵効率を向上させるのである。
【産業上の利用可能性】
【００４２】
空気中の粉塵を帯電させ、帯電した粉塵と逆電位の電極で粉塵を捕集する大型の産業用空気清浄装置としての用途にも適用できる。
【図面の簡単な説明】
【００４３】
【図１】本発明の実施の形態１の電気集塵ユニットを示す水平断面概略図
【図２】本発明の実施の形態２の電気集塵ユニットを示す水平断面概略図
【図３】本発明の実施の形態３の電気集塵ユニットを示す水平断面概略図
【図４】従来の電気集塵ユニットを示す水平断面概略図
【符号の説明】
【００４４】
１    電気集塵ユニット
２    吸気口
３    排気口
４    電気集塵ユニットケース
５    荷電部
６    集塵部
７    集塵電極
７ａ  集塵電極
７ｂ  集塵電極
８    切起し部
９    反発電極
９ａ  反発電極
１０  凸部
１１  上底
１２  斜辺
【図１】
2009285560.tif 000003
【図２】
2009285560.tif 000004
【図３】
2009285560.tif 000005
【図４】
2009285560.tif 000006